(57)【要約】      （修正有）【課題】樹脂材のみならず、金属材や陶器素材であっても、排水装置本体のフランジ部を槽体の内面に露出させることなく、槽体に排水配管を施工可能な排水装置の取付構造を提供する。【解決手段】開口部を設けた槽体Ｓ１と、該槽体Ｓ１に取り付けられて開口部からの排水を行う排水装置３との取付を行う、槽体Ｓ１と排水装置３の取付構造を、開口部または開口部近傍の下面に、開口部の周縁に沿って溝部２を設け、更に該溝部２に内側鍔部２a、外側鍔部２bを、それぞれ溝部２の幅を狭くする方向に突出して設けてなる槽体Ｓ１と、筒状または有底筒状にして排水口を備えると共に、外周面に台座部５を備えてなる排水装置本体３と、該台座部５に備えられてなり、溝部２の鍔部間を挿通しうると共に、挿通後に内側鍔部２a及び外側鍔部２bに同時に係止される係止部６と、該係止部６が鍔部に係止された状態で、台座部５を溝部２に固定する係止機構６と、から構成する。【選択図】図４
2010242294.tif 000002
【特許請求の範囲】
【請求項１】
底面に開口部１を設けた槽体と、
該槽体に取り付けられて開口部１からの排水を下水側に排出する排水装置との取付を行う、槽体と排水装置の取付構造であって、
底面に設けた開口部１または開口部１近傍の下面に、開口部１の周縁に沿って溝部２を設け、更に該溝部２を構成する内側の壁に内側鍔部２ａを、外側の壁に外側鍔部２ｂを、それぞれ溝部２の幅を狭くする方向に突出して設けてなる槽体と、
筒状または有底筒状にして上方に排水が流入する排水口４を備えると共に、外周面に周縁に沿って外側方向に突出した台座部５を備えてなる排水装置本体３と、
排水装置本体３の台座部５に備えられてなり、溝部２の鍔部間を挿通しうると共に、挿通後に内側鍔部２ａ及び外側鍔部２ｂに同時に係止される係止部６と、該係止部６が鍔部に係止された状態で、台座部５を溝部２に固定する係止機構と、
から構成されたことを特徴とする槽体と排水装置の取付構造。
【請求項２】
上記請求項１に記載の槽体と排水装置の取付構造において、
台座部５に貫通孔７を複数設けると共に、
係止機構を、
螺子頭部８ａ及び雄ネジ部９からなるボルト部材８、
略コの字状に構成され、中央の片にボルト部材８の雄ネジ部９を挿通する孔部１１を、両側の片に縦溝部１２を、それぞれ備えた土台部１０、
平板状の部材であって、中央部分にボルト部材８の雄ネジ部９と螺合する雌ネジ部１３を、中央部分の側面に縦溝部１２上を回動自在且つ滑らかに滑動する軸部１４を、両端に雄ネジ部９が当接したとき軸部１４を中心に溝部２上を９０度回動させるための傾斜面１５を、それぞれ備えた係止部６、からなるターンナット部材１６より構成し、
貫通孔７にターンナット部材１６を挿通し、
溝部２の鍔部間にターンナット部材１６の係止部６を、係止部６の下端が鍔部の上縁より上方に位置するまで挿通させ、その後ボルト部材８をネジ締めすることで、係止部６を、軸部１４を中心に回動させた後、ボルト部材８の雄ネジ部９に係止部６の雌ネジ部１３を螺合させて締め付けを行い、係止部６と台座部５又は螺子頭部８ａとで内側鍔部２ａ、外側鍔部２ｂ、及び台座部５の挿通孔周辺を挟持し、固定することを特徴とする槽体と排水装置の取付構造。
【請求項３】
上記請求項１に記載の槽体と排水装置の取付構造において、
台座部５に貫通孔７を複数設けると共に、
係止機構を、
該貫通孔７に備えられ、貫通孔７に回動自在に挿通される雄ネジ部９を設けた軸部１４、
該軸部１４端部に設けられる平板状の部材であって、鍔部間を挿通後、回動することで両端が鍔部に係止される係止部６、
及び軸部１４の雄ネジ部９と螺合する雌ネジ部１３を備えたナット部材１７、から構成し、
溝部２の鍔部間に係止部６を挿通させ、回動して係止部６両端を鍔部上面に係止させ、その後ナット部材１７の雌ネジ部１３を軸部１４の雄ネジ部９と螺合させて締め付けることで、係止部６とナット部材１７とで内側鍔部２ａ、外側鍔部２ｂ、及び台座部５の挿通孔周辺を挟持し、固定することを特徴とする槽体と排水装置の取付構造。
【請求項４】
上記請求項１に記載の槽体と排水装置の取付構造において、
係止機構を、
排水装置本体３の台座部５に固定された、円筒形状にして上方ほど肉厚となると共に、内周面の少なくとも下側に雌ネジ部１３を設け、更に上方に軸方向に沿って肉厚部分に達するまで切り欠き部１９を設けたアンカー部材と、
該アンカー部材に下方から螺合する雄ネジ部９を備えたボルト部材８と、から構成し、
溝部２の鍔部間にアンカー部材の先端を挿通させ、その後アンカー部材の下方からボルト部材８を螺合させて締め付けることで、アンカー部材の先端が拡径して内側鍔部２ａ及び外側鍔部２ｂ上面に係止されて係止部６となり、該係止部６と台座部５とで内側鍔部２ａ、外側鍔部２ｂを挟持し、固定することを特徴とする槽体と排水装置の取付構造。
【請求項５】
上記請求項１に記載の槽体と排水装置の取付構造において、
係止機構を、
排水口４の周縁に沿って設けられた、平面視鍔部間を挿通可能な形状にして断面が逆Ｕ字状の係止片２０と、
該係止片２０の逆Ｕ字の中間の高さ位置に、内側方向及び外側方向に向かってそれぞれ突出して設けられた、鍔部間を挿通可能で下方に傾斜部２１を備えた係止部６と、
係止片２０の少なくとも外側の片を拡径可能とするために係止片２０に設けられた切り欠き部１９と、
該係止片２０のＵ字形状の間部分に差し込まれる楔部材２２と、
該楔部材２２を排水装置本体３に対して上昇させるための上昇機構と、
楔部材２２または係止片２０のＵ字形状の間部分のいずれか一方、または両方に設けられた傾斜面１５と、から構成し、
溝部２の鍔部間に係止片２０を、傾斜部２１の一部が鍔部よりも上方に達するまで挿通させ、その後該係止片２０のＵ字形状の間部分に楔部材２２を挿通し、更に上昇機構によって該楔部材２２を排水装置本体３に対して上昇させることで、
傾斜面１５の作用によって係止片２０のＵ字形状間が離間し、係止片２０及び係止部６が拡径して内側鍔部２ａ及び外側鍔部２ｂ上面に係止され、該係止部６と台座部５とで内側鍔部２ａ、外側鍔部２ｂを挟持し、固定することを特徴とする槽体と排水装置の取付構造。
【請求項６】
上記槽体が陶器素材で構成されていることを特徴とする、請求項１乃至請求項５のいずれか１つに記載の排水装置の取付構造。
【発明の詳細な説明】
【技術分野】
【０００１】
本発明は洗面台、流し台、手洗い器等の槽体と排水装置の取付構造に関するものである。
【背景技術】
【０００２】
従来より、洗面台、流し台、手洗い器等の槽体と排水装置の取付構造として、以下に記載する、第一の従来例がある。
洗面台に備えられる、槽体である洗面ボウルと、その洗面ボウルに施工される排水装置からなる第一の従来例の排水配管は、以下に記載した洗面ボウル、排水装置本体、ナット部材、三角パッキン、トラップ配管等から構成されてなる。
洗面ボウルは上方が開口した箱体であって、陶器素材から構成され、底面には開口部が設けられてなる。
排水装置本体は略円筒形状にして、上端には周縁に沿って外周方向に突出したフランジ部を備え、外周側面には雄ネジを備えてなる。また排水装置本体の上端の開口は、槽体内の排水が流入する排水口を、下端は排水が排出される排出口を、それぞれ形成する。
ナット部材は略円筒形状にして内周面に排水装置の雄ネジと螺合する雌ネジを備え、また上端には周縁に沿って外周方向に突出した押上板部を備えてなる。
三角パッキンは断面が直角三角形を成す、弾性素材からなるリング状の部材である。
トラップ配管は排水装置本体下端の排出口と、洗面台の設置される床面の床下に配管されてなる床下配管との接続を行う管体であって、配管の途中部分をＳ字状に屈曲させることで、内部に排水が溜まる封水部と呼ばれる部分を形成し、該封水部によって臭気や害虫類が床下配管の下流にある下水側から屋内に逆流してくることを防止している。この臭気や害虫類の逆流を防止する機能を、トラップ機能と呼ぶ。
【０００３】
上記のように構成された排水装置は、以下のようにして槽体である洗面ボウルに施工される。
まず排水装置本体を、フランジ部の下面が洗面ボウルの開口部の周縁上面に当接するように配置する。更に排水装置本体の下方から、排水装置本体に三角パッキンを挿通させた上で、ナット部材を挿通し、排水装置本体の雄ネジにナット部材の雌ネジを螺合させる。螺合が進むと、フランジ部とナット部材の押上板部とで、洗面ボウルの開口部周縁及び三角パッキンを挟持した状態で排水装置本体が洗面ボウルに取り付け固定される。この時、三角パッキンは側面に備えた傾斜によって、上下方向に押圧する応力の一部が、三角パッキン内径方向に締め付ける応力に変換され、排水装置本体の側面に強く密接するので、洗面ボウル底面、排水装置本体側面、ナット部材間が水密的に接続される。
更に排水装置本体の下端にトラップ配管を接続し、トラップ配管の下流側を床下配管に接続して、上記第一の従来例の排水装置の施工が完了する。
【０００４】
上記のように構成された第一の従来例の洗面ボウルを使用する場合、洗面台を使用し、洗面ボウル内部に排水が生じると、排水は排水口から排水装置本体内部を通過して排出口に至り、トラップ配管を介して床下配管に排出される。また、この際、封水部内部に排水が溜まり、封水部内に溜まった排水（この封水部内に溜まった排水を「封水」と呼ぶ）によって、床下配管の下流にある下水側から臭気や害虫類が屋内側に逆流してくることを防止する事ができる。
【０００５】
しかしながら、上記第一の従来例では、以下に記載するような問題点があった。
上記段落０００２乃至段落０００４に記載の第一の従来例では、洗面ボウル内部にフランジ部上面が露出するため、洗面ボウル内面とフランジ部の外周部分との間に段部や隙間部分ができる。この段部や隙間部分に排水中のゴミや塵芥・毛髪などが混入すると、狭くて取り出しにくいため、洗面ボウル内部の清掃性を悪化させていた。また、ボウル内面とフランジ部上面とは別部材であるため、両者の質感や色調の相違、また段部や隙間自体によって、洗面ボウルの意匠性が悪化する、という問題が生じていた。
【０００６】
この第一の従来例が有する段落０００５に記載の問題点を解決するために、以下に記載する第二の従来例に示した、槽体である洗面ボウルと、それに施工される排水装置が考案されている。
槽体である洗面ボウルと、その洗面ボウルに施工される排水装置からなる第二の従来例の排水配管は、以下に記載した洗面ボウル、排水装置本体、ボルト部材、Ｏリング、トラップ配管等から構成されてなる。
洗面ボウルは上方が開口した箱体であって、樹脂材である人工大理石から構成され、底面には円形の開口部が設けられてなる。また開口部の下方の周縁には、後述するボルト部材が螺合される雌ネジを備えたナット穴部が、開口部の周囲に複数設けられている。
排水装置本体は略円筒形状にして、上端には周縁に沿って外周方向に突出した台座部を備えてなる。該台座部には上記洗面ボウルのナット穴部に対応する位置に貫通孔を複数備えてなる。また排水装置本体の上端の開口は、槽体内の排水が流入する排水口を、下端は排水が排出される排出口を、それぞれ形成する。
ボルト部材は金属材からなる、ナット穴部に螺合する雄ネジを備えた軸部と、該軸部の一端に備えられた、貫通孔よりも大径な螺子頭部からなる。
Ｏリングは断面がほぼ正円を成す、弾性素材からなるリング状の部材である。
トラップ配管は排水装置本体下端の排出口と、洗面台の設置される床面の床下に配管されてなる床下配管との接続を行う管体であって、配管の途中部分に管体をＳ字状に屈曲させることで封水部を形成してなる。
【０００７】
上記のように構成された排水装置は、以下のようにして槽体である洗面ボウルに施工される。
まず排水装置本体を、洗面ボウル下方から、Ｏリングを介して、フランジ部の上面が洗面ボウルの開口部の周縁下面に当接し、且つフランジ部の貫通孔から洗面ボウルのナット穴部が露出するように配置する。更に貫通孔を介してナット穴部にボルト部材を螺合させ、洗面ボウル下面とフランジ部上面とがＯリングを介して押圧した状態にて、排水装置本体を洗面ボウルに固定する。この時、Ｏリングによって、洗面ボウル底面と排水装置本体のフランジ部上面とが水密的に接続される。
更に排水装置本体の下端にトラップ配管を接続し、排水配管の下流側を床下配管に接続して、上記第二の従来例の排水装置の施工が完了する。
【０００８】
上記のように構成された第二の従来例の洗面ボウルを使用する場合、洗面台を使用し、洗面ボウル内部に排水が生じると、排水は開口部から排水口、排水装置本体内部を通過して排出口に至り、トラップ配管を介して床下配管に排出する事ができる。また、このとき、封水部内部に封水が溜まり、この封水の水封によって臭気や害虫類が床下配管の下流にある下水側から屋内に逆流してくることを防止する事ができる。
更に洗面ボウルの内周面には、第一の従来例のように、洗面ボウル内部にフランジ部のような、排水装置の一部が露出することがないため、段落０００５に記載されたような、洗面ボウル内面とフランジ部の外周部分との間に段部や隙間部分ができ、この段部や隙間部分に排水中のゴミや塵芥・毛髪などが混入して洗面ボウル内部の清掃性を悪化させる、という問題や、洗面ボウル内面とフランジ部上面とは別部材であるため両者の質感や色調の相違によって洗面ボウルの意匠性が悪化する、という問題を解決することができる。
【０００９】
【特許文献１】特開２００１−３４２６５８号公報
【特許文献２】特開２００２−２６６４０３号公報
【発明の開示】
【発明が解決しようとする課題】
【００１０】
しかしながら、上記第二の従来例には、以下に記載したような問題があった。
上記第二の従来例では、洗面ボウル等槽体の底面下方にナット穴部を設ける必要がある。このナット穴部にはボルト部材の軸部が収納されるため、ナット穴部が設けられる槽体の開口部周辺は、少なくともボルト部材の軸部よりも厚みを持って構成すると共に、ナット穴部内周面にはナット穴部の軸部に設けられた雄ネジに対応する雌ネジを形成する必要がある。
上記第二の従来例のように、人工大理石、即ち樹脂材で槽体を構成する場合では、ボルト部材の軸部を収納する程度に開口部の周縁を肉厚にすることは容易で、また必要に応じて直接槽体にナット穴部の雌ネジを螺刻するか、または金属材からなる円筒内部にナット穴部の雌ネジを螺刻し、槽体の成型時に埋め込み成型してこれをナット穴部とすることもできる。
しかし、槽体を粘土などを焼成して構成する陶器素材から構成する場合、開口部周縁にナット穴部を構成するのに必要な厚みを設けることは容易であるものの、槽体の焼成前と焼成後とで、陶器自体が収縮／微妙に変形するため、焼成前にナット穴部を直接洗面ボウルに螺刻しても焼成後には雌ネジ部が収縮／変形してしまい、ボルト部材と螺合できなくなり、ナット穴部としては不適当である。また焼成後は硬度が増す上に素材としてはもろくなるため、焼成後にナット穴部を槽体に直接螺刻する事もほぼ不可能である。更に、仮に槽体に直接ナット穴部を螺刻する事ができても、素材としての陶器はもろいため、ナット穴部とボルト部材との螺合の際、必要な締め付け強度に達する前にナット穴部の雌ネジが破損して適切な螺合による取り付けができなくなる。
また、円筒内部にナット穴部の雌ネジを螺刻し、これを槽体の成型時に埋め込むことでナット穴部とする為には、焼成前にビス穴となる金属の円筒を洗面ボウルに埋め込む必要があるが、焼成時には槽体は非常に高温となり、樹脂はもちろん金属でも熱による歪み・溶解を生じるため、やはりボルト部材と螺合できなくなり、ナット穴部としては不適当なものとなってしまう。
結局、第二の従来例のような方法では、槽体として利用できる素材は人工大理石がほとんどで、その他の素材、特に陶器素材では利用することができなかった。
本発明は、上記の課題に鑑みて成されたものであり、その目的とする処は、槽体に施工される排水配管において、樹脂材のみ成らず、金属材や陶器素材であっても、排水装置本体のフランジ部を槽体の内面（上面側）に露出させることなく、槽体に排水配管を施工することができる排水装置の取付構造を提供するものである。
【課題を解決するための手段】
【００１１】
請求項１に記載の排水装置の取付構造は、底面に開口部１を設けた槽体と、
該槽体に取り付けられて開口部１からの排水を下水側に排出する排水装置との取付を行う、槽体と排水装置の取付構造であって、底面に設けた開口部１または開口部１近傍の下面に、開口部１の周縁に沿って溝部２を設け、更に該溝部２を構成する内側の壁に内側鍔部２ａを、外側の壁に外側鍔部２ｂを、それぞれ溝部２の幅を狭くする方向に突出して設けてなる槽体と、筒状または有底筒状にして上方に排水が流入する排水口４を備えると共に、外周面に周縁に沿って外側方向に突出した台座部５を備えてなる排水装置本体３と、排水装置本体３の台座部５に備えられてなり、溝部２の鍔部間を挿通しうると共に、挿通後に内側鍔部２ａ及び外側鍔部２ｂに同時に係止される係止部６と、該係止部６が鍔部に係止された状態で、台座部５を溝部２に固定する係止機構と、から構成されたことを特徴とする槽体と排水装置の取付構造である。
【００１２】
請求項２に記載の排水装置の取付構造は、上記段落００１１に記載の槽体と排水装置の取付構造において、台座部５に貫通孔７を複数設けると共に、係止機構を、螺子頭部８ａ及び雄ネジ部９からなるボルト部材８、略コの字状に構成され、中央の片にボルト部材８の雄ネジ部９を挿通する孔部１１を、両側の片に縦溝部１２を、それぞれ備えた土台部１０、平板状の部材であって、中央部分にボルト部材８の雄ネジ部９と螺合する雌ネジ部１３を、中央部分の側面に縦溝部１２上を回動自在且つ滑らかに滑動する軸部１４を、両端に雄ネジ部９が当接したとき軸部１４を中心に溝部２上を９０度回動させるための傾斜面１５を、それぞれ備えた係止部６、からなるターンナット部材１６より構成し、貫通孔７にターンナット部材１６を挿通し、溝部２の鍔部間にターンナット部材１６の係止部６を、係止部６の下端が鍔部の上縁より上方に位置するまで挿通させ、その後ボルト部材８をネジ締めすることで、係止部６を、軸部１４を中心に回動させた後、ボルト部材８の雄ネジ部９に係止部６の雌ネジ部１３を螺合させて締め付けを行い、係止部６と台座部５又は螺子頭部８ａとで内側鍔部２ａ、外側鍔部２ｂ、及び台座部５の挿通孔周辺を挟持し、固定することを特徴とする槽体と排水装置の取付構造である。
【００１３】
請求項３に記載の排水装置の取付構造は、上記段落００１１に記載の槽体と排水装置の取付構造において、台座部５に貫通孔７を複数設けると共に、係止機構を、該貫通孔７に備えられ、貫通孔７に回動自在に挿通される雄ネジ部９を設けた軸部１４、該軸部１４端部に設けられる平板状の部材であって、鍔部間を挿通後、回動することで両端が鍔部に係止される係止部６、及び軸部１４の雄ネジ部９と螺合する雌ネジ部１３を備えたナット部材１７、から構成し、溝部２の鍔部間に係止部６を挿通させ、回動して係止部６両端を鍔部上面に係止させ、その後ナット部材１７の雌ネジ部１３を軸部１４の雄ネジ部９と螺合させて締め付けることで、係止部６とナット部材１７とで内側鍔部２ａ、外側鍔部２ｂ、及び台座部５の挿通孔周辺を挟持し、固定することを特徴とする槽体と排水装置の取付構造である。
【００１４】
請求項４に記載の排水装置の取付構造は、上記段落００１１に記載の槽体と排水装置の取付構造において、係止機構を、排水装置本体３の台座部５に固定された、円筒形状にして上方ほど肉厚となると共に、内周面の少なくとも下側に雌ネジ部１３を設け、更に上方に軸方向に沿って肉厚部分に達するまで切り欠き部１９を設けたアンカー部１８と、該アンカー部１８に下方から螺合する雄ネジ部９を備えたボルト部材８と、から構成し、溝部２の鍔部間にアンカー部１８の先端を挿通させ、その後アンカー部１８の下方からボルト部材８を螺合させて締め付けることで、アンカー部１８の先端が拡径して内側鍔部２ａ及び外側鍔部２ｂ上面に係止されて係止部６となり、該係止部６と台座部５とで内側鍔部２ａ、外側鍔部２ｂを挟持し、固定することを特徴とする槽体と排水装置の取付構造である。
【００１５】
請求項５に記載の排水装置の取付構造は、上記段落００１１に記載の槽体と排水装置の取付構造において、係止機構を、排水口４の周縁に沿って設けられた、平面視鍔部間を挿通可能な形状にして断面が逆Ｕ字状の係止片２０と、該係止片２０の逆Ｕ字の中間の高さ位置に、内側方向及び外側方向に向かってそれぞれ突出して設けられた、鍔部間を挿通可能で下方に傾斜部２１を備えた係止部６と、係止片２０の少なくとも外側の片を拡径可能とするために係止片２０に設けられた切り欠き部１９と、該係止片２０のＵ字形状の間部分に差し込まれる楔部材２２と、該楔部材２２を排水装置本体３に対して上昇させるための上昇機構と、楔部材２２または係止片２０のＵ字形状の間部分のいずれか一方、または両方に設けられた傾斜面１５と、から構成し、溝部２の鍔部間に係止片２０を、傾斜部２１の一部が鍔部よりも上方に達するまで挿通させ、その後該係止片２０のＵ字形状の間部分に楔部材２２を挿通し、更に上昇機構によって該楔部材２２を排水装置本体３に対して上昇させることで、傾斜面１５の作用によって係止片２０のＵ字形状間が離間し、係止片２０及び係止部６が拡径して内側鍔部２ａ及び外側鍔部２ｂ上面に係止され、該係止部６と台座部５とで内側鍔部２ａ、外側鍔部２ｂを挟持し、固定することを特徴とする槽体と排水装置の取付構造である。
【００１６】
請求項６に記載の排水装置の取付構造は、上記槽体が陶器素材で構成されていることを特徴とする、上記段落００１１乃至段落００１５のいずれか１つに記載の排水装置の取付構造である。
【発明の効果】
【００１７】
本発明の排水機器は、以下の効果を奏する。
１．請求項１に記載の本発明は、槽体の開口部近傍の下面に、内側鍔部及び外側鍔部を備えた溝部を設け、該鍔部に係止部を係止することで排水装置本体を槽体に固定するようにしたことで、槽体にネジ部分を設けなくとも、槽体の内面（上面側）に排水装置の一部を配置することなく槽体に排水装置本体を取り付けることができるようになった。このため、槽体の素材を、樹脂材以外の金属材、陶器素材によって構成した場合でも、洗面ボウル内面とフランジ部の外周部分との間に段部や隙間部分ができ、この段部や隙間部分に排水中のゴミや塵芥・毛髪などが混入して洗面ボウル内部の清掃性を悪化する、という問題や、ボウル内面とフランジ部上面とは別部材であるため両者の質感や色調の相違によって洗面ボウルの意匠性が悪化する、という問題を解決することができる。これは、特に請求項６．に記載したように、自身では雌ネジ部分を螺刻する事ができず、更に焼成によって収縮／変形するため、各部の形状の精度を、樹脂材や金属材で構成した場合と比べてあまり高くすることができない陶器素材において効果的に作用する。
２．請求項２乃至請求項５に記載の発明では、鍔部に係止部を係止し、槽体に排水装置本体を取り付ける係止機構の構成を具体的に明確化する事ができる。
【図面の簡単な説明】
【００１８】
【図１】本発明の第一実施例を示す断面図である。
【図２】第一実施例の施工手順を示す、要部を拡大した断面図である。
【図３】図２のＡ−Ａ断面図である。
【図４】第一実施例の施工状況を示す、要部を拡大した断面図である。
【図５】図４のＢ−Ｂ断面図である。
【図６】ターンナット部材の斜視図及び断面図である。
【図７】ターンナット部材の斜視図及び断面図である。
【図８】ターンナット部材の斜視図及び断面図である。
【図９】ターンナット部材の斜視図及び断面図である。
【図１０】本発明の第二実施例を示す断面図である。
【図１１】第二実施例の施工手順を示す、要部を拡大した断面図である。
【図１２】図二のＣ−Ｃ断面図である。
【図１３】第二実施例の施工状況を示す、要部を拡大した断面図である。
【図１４】図二のＤ−Ｄ断面図である。
【図１５】本発明の第三実施例を示す断面図である。
【図１６】第三実施例の施工手順を示す、要部を拡大した断面図である。
【図１７】図三のＥ−Ｅ断面図である。
【図１８】第三実施例の施工状況を示す、要部を拡大した断面図である。
【図１９】図三のＦ−Ｆ断面図である。
【図２０】本発明の第四実施例を示す断面図である。
【図２１】第四実施例の施工手順を示す、要部を拡大した断面図である。
【図２２】第四実施例の施工状況を示す、要部を拡大した断面図である。
【図２３】第四実施例の要部の部材構成を示す、一部を切り欠きした参考図である。
【実施例】
【００１９】
以下に本発明の第一実施例を、図面を参照しつつ説明する。
図１乃至図５に示した本発明の第一実施例は、キャビネットを有する洗面台に設けられた、槽体である洗面ボウルＳ１と排水装置の取付構造に関するものであって、以下に記載した、洗面ボウルＳ１、排水装置本体３、トラップ配管２４、係止部材、Ｏリング２５、等より構成される。
洗面ボウルＳ１は上方が開口した箱体であって、陶器素材から構成され、底面には円形の開口部１が設けられてなる。また、底面に設けた開口部１の周辺の底面に肉厚部分を設け、この肉厚部分に、開口部１の周縁に沿って溝部２を設け、更に該溝部２を構成する内側の壁の下方に内側鍔部２ａを、外側の壁の下方に外側鍔部２ｂを、それぞれ溝部２の幅を狭くする方向に突出して設けてなる。尚、ここで言う「外側の壁・内側の壁」の内側・外側とは、具体的には開口部１の中心に近い側が内側、遠い方が外側であり、「溝部２の幅を狭くする方向」とは外側の壁であれば開口部１の中心側方向を、内側の壁であれば開口部１の中心とは反対側方向を、それぞれ示す。
排水装置本体３は、筒状にして上方に排水が流入する排水口４を、下方に排水を排出する排出口２３を、それぞれ備えると共に、排水口４近傍の外周面に、周縁に沿って連続して外側方向に突出した台座部５を備えてなる。該台座部５には貫通孔７を複数（この実施例では４箇所）設けてなる。
係止部材は、下記に記載した、ボルト部材８、土台部１０、係止部６、からなる、ターンナット部材１６より構成される。尚、ターンナット部材１６を詳細に説明する、図６乃至図９に示した図面について、（ａ）はターンナット部材１６の断面図であり、（ｂ）は（ａ）と同じ状態における斜視図である。
ボルト部材８は螺子頭部８ａと、該螺子頭部８ａから突出した雄ネジ部９とからなる。
土台部１０は、略コの字状に構成された樹脂素材からなる部材であって、略コの字の中央の辺に、ボルト部材８の雄ネジ部９が螺合する雌ネジ部１３と、施工完了時、係止部６に対応して鍔部を挟持するための係止片２０を備えてなる。また、略コの字の両側の片に、後述する係止部６の軸部１４が回動自在且つスライド自在に動作する縦溝部１２を備えてなる。
係止部６は、平板状の部材であって中央部分にナット部材１７の雄ネジ部９と螺合する雌ネジ部１３を有してなり、また該中央部分の両側面に軸部１４を備えてなる。また、その両端はボルト部材８の雄ネジ部９が当接したときに、まず軸部１４を中心に係止部６を回動させるための傾斜面１５を備えてなる。また該傾斜面１５の両側面、ボルト部材８の雄ネジ部９が当接しない位置に、係止部６の平板部分を延長するようにして構成されたリブ部２６を備えてなる。この係止部６は、図６乃至図９に示したように、土台部１０のコの字状の辺の中に収納され、この図６にあるような収納状態において、平面視、ターンナット部材１６の土台部１０及び係止部６は、平面視溝部２の内側鍔部２ａ及び外側鍔部２ｂの両鍔部間に収めることのできると共に、図７のように、軸部１４を中心に回動させることで、図４乃至図５に示したように係止部６の両端が内側鍔部２ａ及び外側鍔部２ｂ上に配置できる形状に構成されてなる。このターンナット部材１６は、それぞれの貫通孔７に１つずつ配置される。この第一実施例では、これら係止部材となるターンナット部材１６が、係止機構を構成する。
Ｏリング２５は断面がほぼ正円を成す、ゴムなどの弾性素材からなるリング状の部材である。
トラップ配管２４は排水装置本体３下端の排出口２３と、洗面台の設置される床面の床下に配管されてなる床下配管との接続を行う管体であって、配管の途中部分をＳ字状に屈曲させることで、内部に排水が溜まる封水部と呼ばれる部分を形成し、該封水部によって臭気や害虫類が床下配管の下流にある下水側から屋内に逆流してくることを防止している。この臭気や害虫類の逆流を防止する機能を、トラップ機能と呼ぶ。
【００２０】
上記のように構成された排水装置は、以下のようにして槽体である洗面ボウルＳ１に施工される。
まずターンナット部材１６において、図６に示したように、ターンナット部材１６の土台部１０のコの字状の辺の中に、係止部６を収納する。この状態では、縦溝部１２上に軸部１４を係止し、係止部６の雌ネジ部１３が土台部１０の雌ネジ部１３に対して９０度の角度を成し、傾斜面１５が備えられた係止部６の一端が、土台部１０の孔部１１の中心軸上となるように配置する。また、土台部１０の孔部１１にはナット部材１７の雄ネジ部９を挿通させておく。
次に、図６の状態としたターンナット部材１６を、係止部６側が上方になるようにして排水装置本体３の台座部５の貫通孔７に挿通する。この時、係止部６は図３に示したように、平面視溝部２の内側鍔部２ａ及び外側鍔部２ｂの両鍔部間に収めることのできるように配置される。
次に、洗面ボウルＳ１下方から、Ｏリング２５を介して、台座部５の上面が洗面ボウルＳ１の開口部１の周縁下面に当接させた後、係止部６の下端が内側鍔部２ａ及び外側鍔部２ｂよりも上方となるまでターンナット部材１６を押し上げ、更にその状態にてボルト部材８の上昇を押し進める。
すると、ボルト部材８がターンナット部材１６の傾斜面１５まで到達し、更に上昇を進めると、図７に示したように傾斜面１５の作用により係止部６が回転し、更に上昇を進めると、図８に示したように、係止部６が９０度回転して係止部６の雌ネジ部１３がボルト部材８の雄ネジ部９と同心円状に配置されることとなり、ボルト部材８の雄ネジ部９の螺合を行うことで、係止部６の雌ネジ部１３にボルト部材８の雄ネジ部９が螺合する事ができる。
この状態から更に螺合を進めると、係止部６の雌ネジ部１３とボルト部材８の雄ネジ部９が螺合することによって係止部６の軸部１４が縦溝部１２上を下方に滑動し、係止部６が鋲頭部側、即ち下方に引きつけられる。最終的に図９に示したように、ターンナット部材１６において、係止部６の雌ネジ部１３とボルト部材８の雄ネジ部９との螺合が充分進むことで、図１に示したように、係止部６下面及びリブ部２６と、台座部５の係止片２０（またはこの台座部５を上方に引き上げる螺子頭部８ａ）とで、内側鍔部２ａ、外側鍔部２ｂ、及び台座部５の挿通孔周辺を挟持し、排水装置本体３を洗面ボウルＳ１に固定することができる。尚、この際洗面ボウルＳ１の開口部１周縁下面と、台座部５上面とが、Ｏリング２５を介して押圧した状態となるため、Ｏリング２５によって、洗面ボウルＳ１底面と排水装置本体３の台座部５上面とが水密的に接続される。更に排水装置本体３の下端にトラップ配管２４を接続し、排水配管の下流側を床下配管に接続して、上記第一実施例の、洗面台の施工が完了する。
【００２１】
上記のように構成された第一実施例の洗面台を使用する場合、洗面台を使用し、洗面ボウルＳ１内部に排水が生じると、排水は洗面ボウルＳ１の開口部１から排水口４、排水装置本体３内部を通過して排出口２３に至り、トラップ配管２４を介して床下配管に排出することができる。また、このとき、封水部内部に封水が溜まり、この封水の水封によって臭気や害虫類が床下配管の下流にある下水側から屋内に逆流してくることを防止する事ができる。
【００２２】
上記第一実施例では、第一の従来例とは異なり、洗面ボウルＳ１内部にフランジ部が露出することがないため、段落０００５に記載されたような、洗面ボウルＳ１内面とフランジ部の外周部分との間に段部や隙間部分ができ、この段部や隙間部分に排水中のゴミや塵芥・毛髪などが混入して洗面ボウルＳ１内部の清掃性を悪化させるといった問題や、ボウル内面に別部材が配置され、両者の質感や色調の相違によって洗面ボウルＳ１の意匠性が悪化する、という問題を解決することができる。
また、槽体である洗面ボウルＳ１に雄ネジ部９、雌ネジ部１３などのネジを全く設けていないため、段落００１０に記載した第二の従来例が有していた排水装置本体３の槽体への取り付けの問題点を解決することができ、実施例のような陶器素材の洗面ボウルＳ１においても採用することができる。
【００２３】
次に本発明の第二実施例を、図面を参照しつつ説明する。
図１０乃至図１４に示した本発明の第二実施例は、キャビネットを有する洗面台に設けられた、槽体である洗面ボウルＳ１と排水装置の取付構造に関するものであって、以下に記載した、洗面ボウルＳ１、排水装置本体３、トラップ配管２４、係止部材、Ｏリング２５、等より構成される。
洗面ボウルＳ１は上方が開口した箱体であって、陶器素材から構成され、底面には円形の開口部１が設けられてなる。また、底面に設けた開口部１の周辺の底面に肉厚部分を設け、この肉厚部分に、開口部１の周縁に沿って溝部２を設け、更に該溝部２を構成する内側の壁の下方に内側鍔部２ａを、外側の壁の下方に外側鍔部２ｂを、それぞれ溝部２の幅を狭くする方向に突出して設けてなる。尚、ここで言う「外側の壁・内側の壁」の内側・外側とは、具体的には開口部１の中心に近い側が内側、遠い方が外側であり、「溝部２の幅を狭くする方向」とは外側の壁であれば開口部１の中心側方向を、内側の壁であれば開口部１の中心とは反対側方向を、それぞれ示す。
排水装置本体３は、筒状にして上方に排水が流入する排水口４を、下方に排水を排出する排出口２３を、それぞれ備えると共に、排水口４近傍の外周面に、周縁に沿って連続して外側方向に突出した台座部５を備えてなる。該台座部５には貫通孔７を複数（この実施例では４箇所）設けてなる。
係止部材は平面視略円弧形状を成す平板状の係止部６と、該係止部６の中央部分下面から下方に向かって設けられた雄ネジ部９を設けた軸部１４からなり、上記排水装置本体３の貫通孔７に１つづつ備えられる。また係止部６は排水装置本体３の貫通孔７に軸部１４を挿通した状態において、方向を調整することで、図１２に示したように平面視溝部２の内側鍔部２ａ及び外側鍔部２ｂの両鍔部間に収めることのできると共に、軸部１４を中心に回動させることで、図１４に示したように係止部６の両端が内側鍔部２ａ及び外側鍔部２ｂ上に配置できる形状に構成されてなる。
ナット部材１７は上記軸部１４の雄ネジ部９に螺合する雌ネジ部１３を備えた、貫通孔７よりも大径な部材である。
この第二実施例では、これら係止部材とナット部材１７とで係止機構を構成する。
Ｏリング２５は断面がほぼ正円を成す、ゴムなどの弾性素材からなるリング状の部材である。
トラップ配管２４は排水装置本体３下端の排出口２３と、洗面台の設置される床面の床下に配管されてなる床下配管との接続を行う管体であって、配管の途中部分をＳ字状に屈曲させることで、内部に排水が溜まる封水部と呼ばれる部分を形成し、該封水部によって臭気や害虫類が床下配管の下流にある下水側から屋内に逆流してくることを防止している。この臭気や害虫類の逆流を防止する機能を、トラップ機能と呼ぶ。
【００２４】
上記のように構成された排水装置は、以下のようにして槽体である洗面ボウルＳ１に施工される。まず排水装置本体３の挿通孔に、係止部６側が上方になるようにして係止部材の軸部１４を挿通する。次に、図１２に示したように、係止部６を平面視溝部２の内側鍔部２ａ及び外側鍔部２ｂの両鍔部間に収めることのできるように配置する。
次に、洗面ボウルＳ１下方から、Ｏリング２５を介して、台座部５の上面が洗面ボウルＳ１の開口部１の周縁下面に当接させた後、係止部６が内側鍔部２ａ及び外側鍔部２ｂよりも上方となるまで係止部材を押し上げ、更に軸部１４を中心にして係止部材を回動させ、図１４に示したように平面視において係止部６の一端が外側鍔部２ｂ上に、他端が内側鍔部２ａ上に、それぞれ係止されるようにする。
この状態から係止部材の軸部１４の雄ネジ部９にナット部材１７の雌ネジ部１３を螺合させ、締め付けることで、係止部６とナット部材１７とで内側鍔部２ａ、外側鍔部２ｂ、及び台座部５の挿通孔周辺を挟持し、排水装置本体３を洗面ボウルＳ１に固定することができる。尚、この際洗面ボウルＳ１の開口部１周縁下面と、台座部５上面とが、Ｏリング２５を介して押圧した状態となるため、Ｏリング２５によって、洗面ボウルＳ１底面と排水装置本体３の台座部５上面とが水密的に接続される。更に排水装置本体３の下端にトラップ配管２４を接続し、排水配管の下流側を床下配管に接続して、上記第二実施例の、洗面台の施工が完了する。
【００２５】
上記のように構成された第二実施例は、上記段落００２１の第一実施例の洗面ボウルＳ１と同様に使用することができ、また上記段落００２２の第一実施例の洗面ボウルＳ１と同様の効果を有する。
【００２６】
次に本発明の第三実施例を、図面を参照しつつ説明する。
図１５乃至図１９に示した本発明の第三実施例は、キャビネットを有する洗面台に設けられた、槽体である洗面ボウルＳ１と排水装置の取付構造に関するものであって、以下に記載した、洗面ボウルＳ１、排水装置本体３、トラップ配管２４、係止部材となる排水装置本体３の台座部５に設けられたアンカー部材としてのアンカー部１８及びボルト部材８、Ｏリング２５、等より構成される。
洗面ボウルＳ１は上方が開口した箱体であって、陶器素材から構成され、底面には円形の開口部１が設けられてなる。また、底面に設けた開口部１の周辺の底面に肉厚部分を設け、この肉厚部分に、開口部１の周縁に沿って溝部２を設け、更に該溝部２を構成する内側の壁の下方に内側鍔部２ａを、外側の壁の下方に外側鍔部２ｂを、それぞれ溝部２の幅を狭くする方向に突出して設けてなる。尚、ここで言う「外側の壁・内側の壁」の内側・外側とは、具体的には開口部１の中心に近い側が内側、遠い方が外側であり、「溝部２の幅を狭くする方向」とは外側の壁であれば開口部１の中心側方向を、内側の壁であれば開口部１の中心とは反対側方向を、それぞれ示す。
排水装置本体３は、筒状にして上方に排水が流入する排水口４を、下方に排水を排出する排出口２３を、それぞれ備えると共に、排水口４近傍の外周面に、周縁に沿って連続して外側方向に突出した台座部５を備えてなる。該台座部５の上面にはアンカー部が複数（この実施例では４本）垂立されてなる。該アンカー部は円筒形状にして上方ほど肉厚となると共に、その内部は筒状で、対応する台座部５にも貫通孔７が形成されてなり、且つその内周面の少なくとも下側にボルト部材８の雄ネジ部９と螺合する雌ネジ部１３を設け、更に上方に軸方向に沿って肉厚部分に達するまで切り欠き部１９を設けてなる。尚、アンカー部１８の外径は、内部にボルト部材８が螺合されていない状態では図１７に示したように内側鍔部２ａ及び外側鍔部２ｂの両鍔部間の幅よりも小径であり、内部にボルト部材８を螺合させると、肉厚部分と切り欠き部１９において拡径し、下方ほど縮径するような円錐形状を成し、円錐部分では図１９に示したように両鍔部間の幅よりも大径となる。また、アンカー部１８は、台座部５の上面を洗面ボウルＳ１の開口部１の周縁下面に当接させた際に、内側鍔部２ａ及び外側鍔部２ｂの上面が、アンカー部１８の先端から切り欠き部１９の下端までの間に配置されるように構成されてなる。
ボルト部材８は、アンカー部１８に下方から螺合する雄ネジ部９と、該雄ネジ部９の端部に、貫通孔７よりも大径な螺子頭部８ａを備えてなる。
Ｏリング２５は断面がほぼ正円を成す、ゴムなどの弾性素材からなるリング状の部材である。
トラップ配管２４は排水装置本体３下端の排出口２３と、洗面台の設置される床面の床下に配管されてなる床下配管との接続を行う管体であって、配管の途中部分をＳ字状に屈曲させることで、内部に排水が溜まる封水部と呼ばれる部分を形成し、該封水部によって臭気や害虫類が床下配管の下流にある下水側から屋内に逆流してくることを防止している。
【００２７】
上記のように構成された排水装置は、以下のようにして槽体である洗面ボウルＳ１に施工される。洗面ボウルＳ１下方から、Ｏリング２５を介して、台座部５の上面を洗面ボウルＳ１の開口部１の周縁下面に当接させる。この時、内側鍔部２ａ及び外側鍔部２ｂの上面が、アンカー部１８の先端から切り欠き部１９の下端までの間に配置される。
次に、貫通孔７にボルト部材８の雄ネジ部９を挿通させ、アンカー部１８の雌ネジ部１３に螺合させると、雄ネジ部９の先端が肉厚部に達した時点で、アンカー部１８の先端が拡径を生じる。更に螺合を進めると、図１８に示したように、拡径部分が内側鍔部２ａ及び外側鍔部２ｂの縁部に乗りあげ、最終的に台座部５上面と、係止部材であるアンカー部１８とで内側鍔部２ａ、外側鍔部２ｂを挟持し、排水装置本体３を洗面ボウルＳ１に固定することができる。尚、この際洗面ボウルＳ１の開口部１周縁下面と、台座部５上面とが、Ｏリング２５を介して押圧した状態となるため、Ｏリング２５によって、洗面ボウルＳ１底面と排水装置本体３の台座部５上面とが水密的に接続される。更に排水装置本体３の下端にトラップ配管２４を接続し、排水配管の下流側を床下配管に接続して、上記第三実施例の排水装置の槽体である洗面ボウルＳ１への施工が完了する。
【００２８】
上記のように構成された第三実施例は、上記段落００２１の第一実施例の洗面ボウルＳ１と同様に使用することができ、また上記段落００２２の第一実施例の洗面ボウルＳ１と同様の効果を有する。
【００２９】
次に、本発明の第四実施例を、図面を参照しつつ説明する。
図２０乃至図２３に示した本発明の第四実施例は、キャビネットを有する流し台に設けられた、槽体であるシンクＳ２と排水装置の取付構造に関するものであって、以下に記載した、シンクＳ２、排水装置本体３、トラップ配管２４、排水装置本体３の台座部５に設けられた係止片２０、楔部材２２、ナット部材１７、平パッキン２７、等より構成される。
シンクＳ２は上方が開口した箱体であって、２乃至３ミリメートル程度のステンレス材から構成され、底面には円形の開口部１が設けられてなる。また、底面に設けた開口部１の周辺の底面に、折り曲げた断面略L字形状のリング体２組を溶接することによって、この開口部１周辺に、図２１に示したように、開口部１の周縁に沿って溝部２を設け、更に該溝部２を構成する内側の壁の下端に内側鍔部２ａを、外側の壁の下方に外側鍔部２ｂを、それぞれ溝部２の幅を狭くする方向に突出して設けてなる。尚、ここで言う「外側の壁・内側の壁」の内側・外側とは、具体的には開口部１の中心に近い側が内側、遠い方が外側であり、「溝部２の幅を狭くする方向」とは外側の壁であれば開口部１の中心側方向を、内側の壁であれば開口部１の中心とは反対側方向を、それぞれ示す。
排水装置本体３は、有底筒状にして上方に排水が流入する排水口４を、下方に排水を排出する排出口２３を、それぞれ備えると共に、排水口４近傍の外周面に、周縁に沿って連続して外側方向に突出した平面視略円形の台座部５を備えてなる。また、この台座部５の外周縁には、排水口４の周縁に沿って設けられた、平面視溝部２に対応する形状にして断面が逆Ｕ字状の係止片２０を備えてなる（ここでいう、「排水口４の周縁に沿って」とは、隙間無く沿う場合以外にも、多少の隙間を設けて略平行に沿う場合も含まれる）。ここで、傾斜片のうち、排水口４に近い側の傾斜片を内側係止片２０ａ、遠い側を外側係止片２０ｂと呼ぶ。また、該係止片２０の逆Ｕ字の中間の高さ位置に、内側係止片２０ａの内側（排水口４に向かう方向）と、外側係止片２０ｂの外側方向（排水口４と逆となる方向）に向かってそれぞれ突出して設けられた、鍔部間を挿通可能で下方に傾斜部２１を備えた係止部６を備えてなる。また、係止片２０を拡径可能とするため、係止片２０の上端から、内側係止片２０ａでは傾斜部２１にかかる高さ位置まで、外側係止片２０ｂでは下端に達する高さまで、８ヶ所係止片２０に切り欠き部１９を設けてなる。また、係止片２０は、台座部５の上面をシンクＳ２の開口部１の周縁下面に当接させた際に、内側鍔部２ａ及び外側鍔部２ｂの上面が、係止片２０の傾斜面１５上の高さ位置に配置されるように構成されてなる。
また排水装置本体３の、台座部５より下方の外側面に雄ネジ部９を設けてなる。
楔部材２２は断面が鋭角な二等辺片三角形を成すリング状の部材であって、その側面は傾斜面１５を構成してなる。
尚、上記した排水装置本体３の係止部６の形状は、内側係止片２０ａおよび外側係止片２０ｂ間に該楔部材２２が配置されていない状態では平面視内側鍔部２ａ及び外側鍔部２ｂの両鍔部間に収まる形状であり、内側係止片２０ａ及び外側係止片２０ｂの間に楔部材２２を挿入させると、楔部材２２の傾斜面１５によって内側係止片２０ａ及び外側係止片２０ｂ間が幅広になり、それに伴って係止部６間も図２２に示したように両鍔部の幅よりも大きな幅となる。
ナット部材１７は略円筒形状にして内周面に排水装置の雄ネジ部９と螺合する雌ネジ部１３を備え、また上端には周縁に沿って外周方向に突出した押上板部２８を備えてなる。
このナット部材１７と排水装置本体３の雄ネジ部９とで、楔部材２２を排水装置本体３に対して押し上げる上昇機構を構成してなる。
平パッキン２７は断面がほぼ長方形を成す、ゴムなどの弾性素材からなるリング状の部材である。
トラップ配管２４は排水装置本体３下端の排出口２３と、洗面台の設置される床面の床下に配管されてなる床下配管との接続を行う管体であって、配管の途中部分をＳ字状に屈曲させることで、内部に排水が溜まる封水部と呼ばれる部分を形成し、該封水部によって臭気や害虫類が床下配管の下流にある下水側から屋内に逆流してくることを防止している。
【００３０】
上記のように構成された排水装置は、以下のようにして槽体である流し台のシンクＳ２に施工される。
まず図２１に示したように、平面視内側係止部６及び外側係止部６が、側鍔部の両鍔部間に収めることのできるように配置する。
次に、洗面ボウルＳ１下方から、平パッキン２７を介して、台座部５の上面が洗面ボウルＳ１の開口部１の周縁下面に当接させる。次に係止部６が内側鍔部２ａ及び外側鍔部２ｂよりも上方となるまで係止部材を押し上げた後、内側係止片２０ａと外側係止片２０ｂの間に楔部材２２を差し込む。更に排水装置本体３の雄ネジ部９に、ナット部材１７の雌ネジ部１３を螺合させると、螺合が進むことによって、ナット部材１７の押上板部２８上面が楔部材２２の下面に当接し、更に螺合が進むことでナット部材１７の上昇に伴って楔部材２２が内側係止片２０ａ及び外側係止片２０ｂ内に深く入り込み、楔部材２２の傾斜面１５によって内側係止片２０ａ及び外側係止片２０ｂを押し開いて離間・拡径させ、図２２に示したように係止部６の一端が外側鍔部２ｂ上に、他端が内側鍔部２ａ上に、それぞれ係止されるようにする。
この状態から更にナット部材１７の螺合を進めると、係止部６と台座部５とで内側鍔部２ａ、外側鍔部２ｂを挟持し、排水装置本体３をシンクＳ２に固定することができる。尚、この際シンクＳ２の開口部１周縁下面と、台座部５上面とが、平パッキン２７を介して押圧した状態となるため、平パッキン２７によって、シンクＳ２底面と排水装置本体３の台座部５上面とが水密的に接続される。更に排水装置本体３の下端にトラップ配管２４を接続し、排水配管の下流側を床下配管に接続して、上記第四実施例の排水装置の槽体である流し台のシンクＳ２への施工が完了する。
【００３１】
上記のように構成された第四実施例の流し台を使用する場合、流し台を使用し、シンクＳ２内部に排水が生じると、排水は開口部１から排水口４、排水装置本体３内部を通過して排出口２３に至り、トラップ配管２４を介して床下配管に排出することができる。また、このとき、封水部内部に封水が溜まり、この封水の水封によって臭気や害虫類が床下配管の下流にある下水側から屋内に逆流してくることを防止する事ができる。
【００３２】
上記第四実施例では、第一の従来例とは異なり、流し台のシンクＳ２内部にフランジ部が露出することがないため、段落０００５に記載されたような、洗面ボウルＳ１内面とフランジ部の外周部分との間に段部や隙間部分ができ、この段部や隙間部分に排水中のゴミや塵芥・毛髪などが混入して洗面ボウルＳ１内部の清掃性を悪化させるといった問題や、ボウル内面に別部材が配置され、両者の質感や色調の相違によって洗面ボウルＳ１の意匠性が悪化する、という問題を解決することができる。
また、槽体であるシンクＳ２に雄ネジ、雌ネジなどのネジを全く設けていないため、段落００１０に記載した第二の従来例が有していた排水装置本体３の槽体への取り付けの問題点を解決することができる。
【００３３】
本発明の実施例は以上のようであるが本発明は上記実施例に限定される物ではなく、主旨を変更しない範囲において自由に変更が可能である。例えば、本発明の実施例では、槽体は洗面台の洗面ボウルＳ１又は流し台のシンクＳ２を使用しているが、それ以外の槽体、、例えば浴槽などにも使用することができる。
また、槽体の素材についても、陶器素材について使用すると好適であるが、それ以外の素材、金属材や樹脂材に使用してもかまわない。
また、上記第四実施例では、ナット部材１７と楔部材２２を別部材としているが、係止片２０と楔部材２２の間で良好な滑り性能を確保できるのであれば、ナット部材１７と楔部材２２を一体に構成して部品点数を削減してもかまわない。
また上記実施例では、開口部１又は排水口４を平面視円形としているが、必要に応じて平面視楕円形や略方形などその形状も自由に変更することができる。
また、上記各実施例においては、オーバーフローと呼ばれる、槽体から溢れ水を処理する配管が設けられることがあるが、そのような配管を本発明の槽体と、その槽体に施工される排水配管に採用してもかまわない。
【符号の説明】
【００３４】
１      開口部                    ２      溝部
２ａ    内側鍔部                  ２ｂ    外側鍔部
３      排水装置本体              ４      排水口
５      台座部                    ６      係止部
７      貫通孔                    ８      ボルト部材
８ａ    螺子頭部                  ９      雄ネジ部
１０    土台部                    １１    孔部
１２    縦溝部                    １３    雌ネジ部
１４    軸部                      １５    傾斜面
１６    ターンナット部材          １７    ナット部材
１８    アンカー部                １９    切り欠き部
２０    係止片                    ２０ａ  内側係止片
２０ｂ  外側係止片                ２１    傾斜部
２２    楔部材                    ２３    排出口
２４    トラップ配管              ２５    Ｏリング
２６    リブ部                    ２７    平パッキン
２８    押上板部                  Ｓ１    洗面ボウル
Ｓ２    シンク
【図１】
2010242294.tif 000003
【図２】
2010242294.tif 000004
【図３】
2010242294.tif 000005
【図４】
2010242294.tif 000006
【図５】
2010242294.tif 000007
【図６】
2010242294.tif 000008
【図７】
2010242294.tif 000009
【図８】
2010242294.tif 000010
【図９】
2010242294.tif 000011
【図１０】
2010242294.tif 000012
【図１１】
2010242294.tif 000013
【図１２】
2010242294.tif 000014
【図１３】
2010242294.tif 000015
【図１４】
2010242294.tif 000016
【図１５】
2010242294.tif 000017
【図１６】
2010242294.tif 000018
【図１７】
2010242294.tif 000019
【図１８】
2010242294.tif 000020
【図１９】
2010242294.tif 000021
【図２０】
2010242294.tif 000022
【図２１】
2010242294.tif 000023
【図２２】
2010242294.tif 000024
【図２３】
2010242294.tif 000025